(57)【要約】【課題】  洗浄消毒が不十分な内視鏡スコープが使用されることを防止する。【解決手段】  内視鏡スコープが接続されて使用されるプロセッサを搭載する内視鏡用カート装置１において、商用電源に接続される電源部８と、該電源部８からの電力供給を受けて動作し前記内視鏡スコープの情報を読み取り該内視鏡スコープの洗浄消毒情報を判断する制御部８と、該洗浄消毒情報に基づき前記制御部８が該内視鏡スコープの洗浄消毒が十分でないと判断した場合に該内視鏡スコープの使用不可を報知する報知部７ａとを備える。【選択図】  図１
2009219700.tif 000002
【特許請求の範囲】
【請求項１】
内視鏡スコープが接続されて使用されるプロセッサを搭載する内視鏡用カート装置において、商用電源に接続される電源部と、該電源部からの電力供給を受けて動作し前記内視鏡スコープの情報を読み取り該内視鏡スコープの洗浄消毒情報を判断する制御部と、該洗浄消毒情報に基づき前記制御部が該内視鏡スコープの洗浄消毒が十分でないと判断した場合に該内視鏡スコープの使用不可を報知する報知部とを備えることを特徴とする内視鏡用カート装置。
【請求項２】
前記報知部が前記内視鏡スコープの使用不可を報知するとき前記プロセッサを使用不可とする手段を備えることを特徴とする請求項１に記載の内視鏡用カート装置。
【請求項３】
前記プロセッサを使用不可とする手段は、該プロセッサへの電源供給を遮断する手段であることを特徴とする請求項２に記載の内視鏡用カート装置。
【請求項４】
前記プロセッサを使用不可とする手段は、該プロセッサと前記内視鏡スコープとの間の接続を物理的に禁止する手段であることを特徴とする請求項２に記載の内視鏡用カート装置。
【請求項５】
前記報知部は、視覚による報知および／または聴覚による報知を行うことを特徴とする請求項１乃至請求項４のいずれかに記載の内視鏡用カート装置。
【請求項６】
前記制御部は、前記内視鏡スコープに付けられているＩＣタグから該内視鏡スコープの前記洗浄消毒情報を取得することを特徴とする請求項１乃至請求項５のいずれかに記載の内視鏡用カート装置。
【請求項７】
前記制御部は、前記内視鏡スコープに付けられているＩＤ番号だけしか読み取れない場合には内視鏡スコープの洗浄消毒情報を蓄積している管理装置にＬＡＮ接続して該ＩＤ番号の内視鏡スコープの洗浄消毒情報を取得することを特徴とする請求項１乃至請求項５のいずれかに記載の内視鏡用カート装置。
【請求項８】
前記報知部は、内視鏡用カート装置を構成する複数の棚のうちの１つの前面部に一体に設けられることを特徴とする請求項１乃至請求項７のいずれかに記載の内視鏡用カート装置。
【発明の詳細な説明】
【技術分野】
【０００１】
本発明は、内視鏡スコープが接続されるプロセッサや内視鏡スコープ用の光源装置を搭載する内視鏡用カート装置に係り、特に、患者に対して使おうとする内視鏡スコープが洗浄消毒済みの内視鏡であるか否かを識別する機能を備えた内視鏡用カート装置に関する。
【背景技術】
【０００２】
内視鏡スコープを使用する場合、感染防止を図る観点から、使用済みの内視鏡スコープは必ず洗浄し消毒しなければならない。内視鏡スコープが１台しかない場合にはその洗浄消毒の管理は容易であるが、複数の内視鏡スコープを管理する場合にはどの内視鏡スコープが洗浄消毒済みでどの内視鏡スコープがまだ洗浄していないかの管理が困難になってしまう。
【０００３】
そこで従来は、下記の特許文献１記載の様に、内視鏡スコープ毎に個別のＩＤ番号を付与すると共に洗浄消毒情報を含む使用来歴情報をパーソナルコンピュータ等の管理装置で管理する様にしている。
【０００４】
【特許文献１】特開２００１―３２７４５９号公報
【発明の開示】
【発明が解決しようとする課題】
【０００５】
内視鏡スコープを使用するとき、ユーザ（医者）はその内視鏡スコープが洗浄消毒済みの内視鏡スコープであるか否かを確認しなければならない。しかし、従来の場合、管理装置を操作して洗浄消毒済みであるか否かを知る必要があり、操作が面倒であると共に、ケアレスミスによる誤認を防止できるシステム構成になっていない。
【０００６】
本発明の目的は、ユーザが確実に洗浄消毒済みの内視鏡スコープであるか否かを知ることができ、また、ケアレスミスによる誤認も防止可能な内視鏡用カート装置を提供することにある。
【課題を解決するための手段】
【０００７】
本発明の内視鏡用カート装置は、内視鏡スコープが接続されて使用されるプロセッサを搭載する内視鏡用カート装置において、商用電源に接続される電源部と、該電源部からの電力供給を受けて動作し前記内視鏡スコープの情報を読み取り該内視鏡スコープの洗浄消毒情報を判断する制御部と、該洗浄消毒情報に基づき前記制御部が該内視鏡スコープの洗浄消毒が十分でないと判断した場合に該内視鏡スコープの使用不可を報知する報知部とを備えることを特徴とする。
【０００８】
本発明の内視鏡用カート装置は、前記報知部が前記内視鏡スコープの使用不可を報知するとき前記プロセッサを使用不可とする手段を備えることを特徴とする。
【０００９】
本発明の内視鏡用カート装置の前記プロセッサを使用不可とする手段は、該プロセッサへの電源供給を遮断する手段であることを特徴とする。
【００１０】
本発明の内視鏡用カート装置の前記プロセッサを使用不可とする手段は、該プロセッサと前記内視鏡スコープとの間の接続を物理的に禁止する手段であることを特徴とする。
【００１１】
本発明の内視鏡用カート装置の前記報知部は、視覚による報知および／または聴覚による報知を行うことを特徴とする。
【００１２】
本発明の内視鏡用カート装置の前記制御部は、前記内視鏡スコープに付けられているＩＣタグから該内視鏡スコープの前記洗浄消毒情報を取得することを特徴とする。
【００１３】
本発明の内視鏡用カート装置の前記制御部は、前記内視鏡スコープに付けられているＩＤ番号だけしか読み取れない場合には内視鏡スコープの洗浄消毒情報を蓄積している管理装置にＬＡＮ接続して該ＩＤ番号の内視鏡スコープの洗浄消毒情報を取得することを特徴とする。
【００１４】
本発明の内視鏡用カート装置の前記報知部は、内視鏡用カート装置を構成する複数の棚のうちの１つの前面部に一体に設けられることを特徴とする。
【発明の効果】
【００１５】
本発明によれば、洗浄消毒が不十分と判断された内視鏡スコープの場合には、使用不可が内視鏡用カート装置によって報知されるため、医者，患者共に使用不可の内視鏡スコープであるか否かを容易に知ることが可能となり、誤って使用される事態は回避される。
【発明を実施するための最良の形態】
【００１６】
以下、本発明の一実施形態について、図面を参照して説明する。
【００１７】
図１は、本発明の一実施形態に係る内視鏡用カート装置の外観図である。図示する内視鏡用カート装置１は、底部の四隅に設けられた４つのキャスタ２により移動可能になっており、下から順に、５段の棚３，４，５，６，７が設けられている。
【００１８】
一番下の棚３の下部にはカート制御装置８が設けられている。このカート制御装置８は電源部を内蔵しており、この電源部が、図１では図示を省略した電源ケーブルを介して商用電源に接続される。
【００１９】
各棚３，４，５，６，７には、夫々、後述する電源コンセントが設けられており、これらの電源コンセントは、カート制御装置８の電源部を通して配線されている。
【００２０】
図２は、内視鏡用カート装置１に各種装置を搭載した状態を示す外観図である。図示する例では、棚４にビデオプロセッサ１１が搭載されている。ビデオプロセッサ１１の電源は棚４に設けられた上記の電源コンセントから供給される。内視鏡スコープはこのビデオプロセッサ１１に接続されて使用され、内視鏡スコープを通して得られた消化器等の撮影画像データが画像処理される。
【００２１】
内視鏡用カート装置１の各棚４〜７を上下方向調節可能に左右で支え固定する支柱１２の最上部に、アーム１３を介して液晶等の表示パネル１４が棚７の上方で支持される。表示パネル１４の電源は棚７に設けられた上記の電源コンセントから供給され、ビデオプロセッサ１１で画像処理された映像が表示パネル１４に表示される。
【００２２】
棚５には、光源装置１５が搭載される。内視鏡用スコープは光源装置１５にも接続され、光源装置１５からの照明光が内視鏡用スコープ内に導入され、スコープ先端部から照射される。この光源装置１５の電源は、棚５に設けられた上記の電源コンセントから供給される。
【００２３】
本実施形態では、最上段の棚７の前面部に、報知部７ａと、読取部７ｂとが設けられ、これらは、カート制御装置８から直接的に電源が供給され制御される。最上段の棚７或いはカート制御装置８には、本実施形態では無線ＬＡＮ装置９（図４参照）が設けられており、図示しないパーソナルコンピュータ等の管理装置との間で無線により情報を授受できる構成になっている。尚、有線ＬＡＮで管理装置に接続される構成でも良い。
【００２４】
報知部７ａは、例えば図３（ａ）に示す様に、赤色ランプ（ＬＥＤ）２１と青色ランプ（ＬＥＤ）２２とが設けられ、あるいは、セグメント形式やドットマトリクス形式の表示部２３を備え、図３（ｂ）に示す様な「ＯＫ」表示や、図３（ｃ）に示す様な「ＮＧ」表示が可能になっている。更にスピーカを備える場合もある。
【００２５】
読取部７ｂは、ＲＦＩＣタグに対してリードライト可能になっており、また、バーコードを読み込むバーコードリーダを備えている。
【００２６】
図４は、図１に示す内視鏡用カート装置の機能ブロック構成図である。カート制御装置８は、電源部８ａと制御部８ｂとを備え、電源部８ａが電源ケーブル２５を介して商用電源に接続される。電源部８ａには、手操作の電源スイッチ８ｃが設けられている。この電源スイッチ８ｃは、例えば最上段の棚７やその他の適宜箇所に設けられる。上記の報知部７ａや読取部７ｂは制御部８ｂに接続され、また、無線ＬＡＮ装置９も制御部８ｂに接続される。
【００２７】
電源部８ｂからは電源配線２６が各棚３，４，５，６，７に引き出されており、各棚３〜７に夫々設けられた上記の電源コンセント２７ａ，２７ｂ，…が電源配線２６に接続される。
【００２８】
電源部８ａと電源コンセント２７ａ，２７ｂ，…との間の電源配線２６には開閉スイッチ２８が設けられており、電源スイッチ８ｃが投入され且つスイッチ２８が閉にならないと、各電源コンセント２７ａ，２７ｂ，…は電源部８ａを介して商用電源に接続されない構成になっている。このスイッチ２８は、制御部８ｂが閉指令を出力したときだけ「閉」となり、それ以外では「開」となっている。
【００２９】
図２のビデオプロセッサ１１に接続されて使用される内視鏡スコープには、古いタイプの物や、新しいタイプの物がある。新しいタイプの内視鏡スコープにはＲＦＩＣタグが設けられており、このＩＣタグのメモリに、自身の内視鏡スコープを識別するＩＤ番号や、洗浄消毒情報等の使用履歴情報が書き込まれる。
【００３０】
例えば、図示を省略した洗浄装置内に洗浄対象の内視鏡スコープを入れて洗浄消毒を行う場合、洗浄装置を操作する看護師が自身のＩＤカードを洗浄装置に読ませると共に内視鏡スコープのＩＤ番号を読ませ、この内視鏡スコープを洗浄装置から取り出すときは、看護師が自身のＩＤカードを洗浄装置に読ませると共に内視鏡スコープのＩＤ番号を読ませる。
【００３１】
これにより、内視鏡スコープに設けられたＩＣタグのメモリには、洗浄装置に内視鏡スコープを入れた看護師，洗浄装置から内視鏡スコープを取り出した看護師を特定する情報と、洗浄消毒を行った時間とが記録される。
【００３２】
古いタイプの内視鏡スコープの場合には、バーコードによる内視鏡スコープ対応のＩＤ番号が付与されているが、ＩＣタグの様な情報を書き込むメモリは設けられていない。この場合には、上記の看護師の情報や洗浄消毒時間等の使用履歴情報は、洗浄装置にＬＡＮ接続された管理装置のハードディスク内に保持されることになる。
【００３３】
図５は、図４に示す制御部８ｂが行う制御処理手順を示すフローチャートである。内視鏡用カート装置１の電源スイッチ８ｃが投入されると（ステップＳ１）、読取部７ｂによる情報読取を待機する（ステップＳ２）。
【００３４】
医者が、図示を省略した内視鏡スコープのＩＣタグ部あるいはバーコード部を図２の読取部７ｂに近づけると、読取部７ｂからの情報読取が行われ、その情報がＩＣタグからの読取情報であるか、バーコードからの読取情報であるかが判別される（ステップＳ３）。
【００３５】
ＩＣタグ部の情報である場合には、次にＩＣタグから洗浄消毒情報を読み取り（ステップＳ４）、次にステップＳ７に進む。
【００３６】
ステップＳ３でバーコードからの読取情報であると判別した場合（読取情報がＩＤ番号だけの場合）には、無線ＬＡＮ装置９を介して管理装置に接続し（ステップＳ５）、当該バーコードで読み取ったＩＤ番号の内視鏡スコープの洗浄消毒情報を管理装置に問い合わせ（ステップＳ６）、次にステップＳ７に進む。
【００３７】
ステップＳ７では、ステップＳ４あるいはステップＳ６で取得した洗浄消毒情報から、当該内視鏡スコープの洗浄消毒が正常且つ十分な時間に渡って行われたか否か、即ち、その内視鏡スコープが「使用可能」であるか「使用不可」であるかが判断される。
【００３８】
そして、「使用可能」であると判断された場合には、報知部７ａの青色ランプ２１を点灯し、あるいはＯＫ表示を行い（ステップＳ８）、次のステップＳ９で、図４に示す開閉スイッチ２８を閉じ、この処理を終了する。
【００３９】
ステップＳ７での判断結果が「使用不可」の場合には、ステップＳ７からステップＳ１０に進み、報知部７ａの赤色ランプ２２を点灯し、あるいはＮＧ表示を行い、および／または、スピーカから警報音、あるいは「使用できません」「洗浄されていません」などの音声出力を行い、この処理を終了する。
【００４０】
この様に、使用対象となる内視鏡スコープの洗浄消毒が十分に行われていない場合には、報知部７ａに赤色ランプが点灯され或いはＮＧ表示され、洗浄消毒が十分にされた内視鏡スコープの場合には青色ランプが点灯され或いはＯＫ表示がされるため、医者ばかりでなく、患者もそれを見ることで安心することができる。
【００４１】
この報知部７ａの表示に替えて、図２の表示パネル１４にＯＫ表示，ＮＧ表示をさせることも可能である。しかし、その場合には、表示パネル１４への配線接続のミスが発生する可能性もある。しかしながら、本実施形態の様に、内視鏡用カート装置１に一体に設けられ、配線接続先を変えることができない報知部７ａで内視鏡スコープの使用可，不可の報知が行われると、より安全性が向上し、ケアレスミスも回避可能となる。
【００４２】
また、本実施形態では、内視鏡スコープが洗浄消毒されていない，或いは不十分と判断された場合には、カート装置１に搭載したプロセッサ１１や光源装置１５，表示パネル１４の電源投入が不可となるため、二重の安全を図ることができ、ミスの発生を更に回避可能となる。
【００４３】
尚、本実施形態では、二重の安全を図るために、スイッチ２８を設けステップＳ９でこのスイッチ２８を閉成したが、このスイッチ２８やステップＳ９を設けずに、ステップＳ８，ステップＳ１０での表示や警報音出力を行うだけでも効果が大きい。
【００４４】
また、本実施形態では、スイッチ２８を設けて内視鏡スコープの使用不可時にプロセッサ１１等の電源が入らないようにしたが、別の手段でプロセッサ等を使用できない様にして二重の安全を図ることでも良い。
【００４５】
例えば、図２に示すプロセッサ１１，光源装置１５等の前面には何も無いが、これらの装置の前にシャッタ部材の様な開閉カバーを設けておき、内視鏡スコープが使用不可と判断された場合に開閉カバーが開かない様な構成とすることでも良い。内視鏡スコープをプロセッサ１１や光源装置１５に接続する場合、その接続端子はこれら装置の前部に設けられ、カバーが開かないと接続が物理的に不可となるためである。
【００４６】
更に、図４に示す実施形態では、スイッチ２８が閉じないと全ての電源コンセント２７ａ，２７ｂ，…が使用不可となったが、例えばプロセッサ１１用のコンセント２７ｂを電源配線２６に接続する枝配線部分にスイッチ２８を設け、この開閉を制御部８ｂが制御する構成とすることでも良い。こうすれば、例えば、他の棚６等に設けられた電源コンセントを内視鏡用ではなく別装置のために使用することが可能となる。
【産業上の利用可能性】
【００４７】
本発明に係る内視鏡用カート装置は、使用対象とする内視鏡スコープが洗浄されていない場合には確実に医者や患者にそのことが報知されるという効果を奏し、複数の内視鏡スコープが用いられる病院等で用いる内視鏡用カート装置として有用である。
【図面の簡単な説明】
【００４８】
【図１】本発明の一実施形態に係る内視鏡用カート装置の外観図である。
【図２】図１に示す内視鏡用カート装置にプロセッサ等を搭載した状態を示す外観図である。
【図３】図２に示す報知部の表示形態を示す図である。
【図４】図１に示すカート制御装置の機能ブロック図である。
【図５】図４に示す制御部が行う処理手順を示すフローチャートである。
【符号の説明】
【００４９】
１  内視鏡用カート装置
３，４，５，６，７  棚
７ａ  報知部
７ｂ  読取部
８  カート制御装置
８ａ  電源部
８ｂ  制御部
８ｃ  電源スイッチ
９  無線ＬＡＮ装置
１１  ビデオプロセッサ
１２  支柱
１３  アーム
１４  表示パネル
１５  光源装置
２１  青色ランプ（ＬＥＤ）
２２  赤色ランプ（ＬＥＤ）
２３  表示部
２５  電源ケーブル
２６  電源配線
２７ａ，２７ｂ，…  電源コンセント
２８  開閉スイッチ
【図１】
2009219700.tif 000003
【図２】
2009219700.tif 000004
【図３】
2009219700.tif 000005
【図４】
2009219700.tif 000006
【図５】
2009219700.tif 000007